(57)【特許請求の範囲】
【請求項１】
版胴を回動可能に支持した支持フレームを、印刷機本体に版胴の軸線方向に移動可能に装着した孔版印刷機において、
版胴の両側板は支持フレームの両側板間に設けられて、版胴の軸線方向に延びる支持軸に回転可能に支持され、支持フレームの一方の側板に支持筒部が取付けられ、この支持筒部に版胴の側板に設けた軸受凸部が回転可能に支持され、この軸受凸部の径方向の外側の表面に係合部が取付けられている一方、前記支持フレームの一方の側板と対向する印刷機の側板に前記支持筒部に摺嵌する支持フランジが設けられているとともに、駆動手段の駆動部材が配置され、この駆動部材に前記係合部と係合離脱が可能な被係合部が設けられ、これら係合部と被係合部は、版胴が印刷位置にあるとき互いに係合して版胴を支持し、また版胴が印刷位置にあるとき前記駆動手段の駆動部材が版胴の側板に連結されて、版胴に駆動力が伝達されることを特徴とする孔版印刷機の版胴支持装置。
【請求項２】
版胴の一端にリング状のフランジが固定され、このフランジに版胴の側板が軸線方向に移動可能に取付けられていることを特徴とする請求項１に記載の孔版印刷機の版胴支持装置。
【発明の詳細な説明】
【０００１】
【発明の属する技術分野】
この発明は熱可塑性樹脂フィルムを有する孔版マスタを加熱穿孔製版して、多孔性円筒状版胴に巻着し印刷を行う孔版印刷機の版胴支持装置に関する。
【０００２】
【従来の技術】
従来この種の孔版印刷機として、感熱デジタル孔版印刷機が良く知られており、それは、図１に示すこの発明の第１実施形態と同様な部分があるので、このような部分について、これを参照して説明することとする。１は版胴、２は版胴１の内周面にインキを供給するインキローラ、３はインキローラ２の外表面と僅かに隙間を設け配設されたドクタローラ、４はインキ溜り、５はインキパイプからなる支持軸、６はステージ、７はクランパ、８はマスタ、９はプラテンローラ、10はサーマルヘッド、11は搬送ローラ、12はカッタ、13はガイド板、14はプレスローラ、15はレジストローラ、16は用紙をそれぞれ示す。
【０００３】
このようなものにおいて、版胴１は多孔性の支持円筒体に、樹脂あるいは金属網体のメッシュスクリーンを複層巻装した構成となっており、マスタ８は厚みが大体１〜３μm程度の熱可塑性樹脂フィルムに、多孔質支持体の和紙繊維もしくは合成繊維、又は和紙と合成繊維を混抄したものを貼り合わせたラミネート構造のマスタ原紙のフィルム面を、サーマルヘッド10の発熱素子に接触させながら加熱穿孔製版して構成し、このようなマスタ８を版胴１に巻着し、版胴１の内部に設けられた支持軸５からインキを供給して、プレスローラ14等の押圧手段で用紙16を連続的に押圧して、版胴開口部、マスタ穿孔部よりインキを滲み出させて印刷を行うこととなる。
【０００４】
近年は孔版印刷機でも２色印刷とか、又は複数のインキを用いてカラー印刷が行われるようになってきた。そのため従来のように単色で印刷する場合には、版胴１が固定されていても問題にはならなかったが、色替えをして印刷を行う場合には、以前のインキを版胴からきれいに除去する必要があり、その除去作業が非常に面倒になってしまい、またこれは孔版印刷機に製版装置が一体となって従来より大型になっており、ジャム紙を除去したりする等のトラブル処理を容易に行うために、版胴を着脱することが必要になってきた。
【０００５】
【発明が解決しようとする課題】
そこでこのような必要を充たすことができるものとして、特公昭62-28758号公報に開示されているようなものが提案されており、これは図７に示すようであって、一部が版胴51の軸線方向に延びていて、フレームバー55、、連結プレート60を有するフレームと、機体に版胴51をフレームとともに機内の印刷位置と、機外の引出位置との間に移動可能に案内保持する案内保持手段と、版胴51が印刷位置にあるとき、版胴51のエンドカバー54、版胴支持軸63、フランジ部64と、回転動力伝達関係に着脱可能に連結されるとともに、機体より回転可能に支持し、同時に版胴51の内部に延材するフレームバー55、連結プレート60、軸受部材62にも支持を与える印刷機側板52に回転可能に支持されている駆動軸65、及びこれに取付けられた係合ピン66とを有している。なお53は係合ピン66が離脱可能に係合する版胴支持軸63に設けたキー溝を示す。
【０００６】
このものは、版胴51が印刷位置にあるとき、駆動軸65、係合ピン66は、同時に（１）版胴51のエンドカバー54、版胴支持軸63、フランジ部64を回転し、（２）版胴51を機体に支持し、（３）フレームバー55、連結プレート60、軸受部材62を機体に支持しており、これ以外のときには、フレームを版胴51とともに機外に移動し、このようにして各インキ色の複数の版胴を用意して、版胴の抜き差しをすることで、色替え印刷を簡単に行えるものである。
【０００７】
しかしながら通常孔版印刷機では、版胴１の下方よりプレスローラ14とか、版胴１とほぼ同径の圧胴などの押圧手段を押し付けながらインキを滲出させて印刷を行っているので、版胴１を回転自在に支持していた軸部が強固に固定されていた場合には問題とならなかったが、この提案印刷機のように突出したピン等が版胴１に挿入されて、版胴１の負荷を受ける片持ち構造の場合には、負荷が回転部分にまで伝達されて、プレスローラ14等による一般には10〜数10kgf程度にもなる強い押圧力を繰り返し受けることで、受部となっている回転伝達部に損傷が発生しやすいという問題がある。
【０００８】
またこれとは別に特開平8-39918号公報に開示されているようなものが提案されており、これは図８に示すようなものであって、版胴71が回転軸72を介してフレーム板73に枢支され、このフレーム板73に可動レール74が取付けられ、この可動レール74が印刷機の側板75に固定されたガイドレール76に沿って版胴71の軸線方向に移動し、版胴71には従動歯車77が取付けられ、印刷機の側板75に従動歯車77に噛合する駆動歯車78が枢支されるとともにガイドブッシュ79が取付けられている。
【０００９】
この提案印刷機においては、可動レール74をガイドレール76に沿って左方へ移動させて、版胴71を印刷機本体から取外す機外位置へ移動し、これと反対に右方に移動させて、回転軸72をガイドブッシュ79に嵌合するとともに、従動歯車77が駆動歯車78に噛合する印刷位置に移動させる。このようにして各インキ色の複数の版胴を用意して、版胴の抜き差しをすることで、色替え印刷を簡単に行えるものである。
【００１０】
しかしながら提案印刷機のように、歯車機構を使用して動力を伝達するものでは、歯車間のバックラッシュによるがたができてしまうことが避けられず、そのがたにより版胴外周面の移動量（遊び）が大きくなり、用紙に対する印刷画像位置のばらつきが大きくなってしまったり、駆動時の騒音が発生してしまう等の問題がある。
【００１１】
そこでこの発明の目的は、前記のような従来例のもつ問題を解消し、回転伝達部に損傷が発生するのを防止することができ、駆動時に騒音が発生することのない孔版印刷機の版胴支持装置を提供するにある。
【００１２】
【課題を解決するための手段】
この発明は、前記のような目的を達成するために、版胴を回動可能に支持した支持フレームを、印刷機本体に版胴の軸線方向に移動可能に装着した孔版印刷機において、請求項１に記載の発明は、版胴の両側板は支持フレームの両側板間に設けられて、版胴の軸線方向に延びる支持軸に回転可能に支持され、支持フレームの一方の側板に支持筒部が取付けられ、この支持筒部に版胴の側板に設けた軸受凸部が回転可能に支持され、この軸受凸部の径方向の外側の表面に係合部が取付けられている一方、前記支持フレームの一方の側板と対向する印刷機の側板に前記支持筒部に摺嵌する支持フランジが設けられているとともに、駆動手段の駆動部材が配置され、この駆動部材に前記係合部と係合離脱が可能な被係合部が設けられ、これら係合部と被係合部は、版胴が印刷位置にあるとき互いに係合して版胴を支持し、また版胴が印刷位置にあるとき前記駆動手段の駆動部材が版胴の側板に連結されて、版胴に駆動力が伝達されることを特徴とするものである。
【００１３】
請求項２に記載の発明は、請求項１に記載の発明において、版胴の一端にリング状のフランジが固定され、このフランジに版胴の側板が軸線方向に移動可能に取付けられていることを特徴とするものである。
【００１９】
【発明の実施の形態】
図面に示す各実施形態において、前記従来のもの及び相互における同様の部分には、同一の符号を付して説明を省略し、主として異なる部分について説明する。
【００２０】
図１に示すようなこの発明の第１実施形態において、原稿読取部に原稿がセットされ、スタート信号が出されることにより、版胴１が回転してこれに装着されている使用済みのマスタが、版胴１の表面から剥離されて廃棄され、版胴１はクランパ７がほぼ真上位置になるまで回転して停止する。
【００２１】
版胴１が停止するとクランパ７が開放されて給版待機状態となり、ここで原稿が原稿読取部に送出され、製版制御装置などを経由して、画像情報に応じてサーマルヘッド10の発熱素子にパルス状に通電し、プラテンローラ９と搬送ローラ11によりマスタ８を搬送し、マスタ８の熱可塑性樹脂フィルムが加熱穿孔されて製版が行われ、ガイド板13によってマスタ８の先端がステージ６とクランパ７との間に案内される。
【００２２】
ここでマスタ８の先端がステージ６に届いたと判断されると、クランパ７が閉じられてマスタ８の先端を吸着挟持すると共に、版胴１がマスタ搬送速度とほぼ同じ速度で回転を再開し、製版されたマスタ８の巻着が行われる。そして製版が完了したと判断されるとカッタ12が作動し、マスタ８が切断されるとともににプラテンローラ９と搬送ローラ11が停止し、切断されたマスタが版胴１により引き出されて版胴１への巻着が完了する。
【００２３】
版胴１へのマスタ８の巻着が完了すると、用紙16が給送されてレジストローラ15でタイミングを取られて、版胴１とプレスローラ14との間に挿入され、用紙16の給送が検知されることで、プレスローラ14の係止手段が解除されて上昇し、用紙16を版胴１に連続的に押し付けて、巻着されたマスタ８が版胴１に密着するとともに、用紙16が剥離されて排紙トレイに排出される。巻着されたマスタ８にインキが充填される版付けが行われるとともに、プレスローラ14が離間して初期状態に復帰し印刷待機状態となり、この後に所定の印刷が行われる。
【００２４】
図２には前記の実施形態の版胴支持装置が示されており、版胴１の側板20の中心部外側面に軸受凸部21を設け、この軸受凸部21の中心孔が支持軸22に回転可能に支持されるとともに、軸受凸部21の外周面に装着された軸受23に、版胴の支持フレームの側板としてのフレーム板24の下部孔部が支承され、フレーム板24の上部が、印刷機の側板27に固定されたガイドレール26に沿って、版胴１の軸線方向に移動する可動レール28に取付けられている。なお支持軸22には、インキローラ２の支持板25が取付けられている。
【００２５】
印刷機の一側板27には版胴１の一側板20の軸受23に、回動と係合離脱とが可能な係合孔29が設けられ、この係合孔29には駆動手段31が配置され、この駆動手段31は駆動軸32と、その先端に取付けられた回転盤33とを有し、回転盤33の偏心位置に係合凸部34が設けられ、版胴１の一側板20の軸受凸部21に係合凸部34に係合離脱可能な係合凹部36が設けられている。
【００２６】
図示のような状態のこの実施態様において、印刷位置にもたらす際には、可動レール28をガイドレール26に沿って左方に移動させることによって、版胴１を同方向に移動して版胴１の側板20の軸受23を、印刷機の側板27の係合孔29に回動可能に嵌合させるとともに、版胴１の側板20の軸受凸部21に設けられた係合凹部36に、駆動手段31の係合凸部34を係合させる。
【００２７】
このような状態で印刷作動を行うと、版胴１は駆動手段31の作動によって回動する係合凸部34によって回動するとともに、版胴１はフレーム板24に強固に支持される。このようにして印刷作動時に発生するプレスローラ14等によって繰返し負荷される強い押圧力が、軸受23を介して版胴１の側板20に受止されて、駆動手段31の回転伝達部にまで伝達されることがなくて、同回転伝達部に損傷が発生することがない。
【００２８】
そして所定の印刷作動を終了して、版胴１を他の版胴１と交換するに際しては、前記とは反対の手順によって版胴１を右方向に移動し、その側板20の軸受23と印刷機の側板27の係合孔29との嵌合、及び軸受凸部21の係合凹部36と、駆動手段31の係合凸部34との係合を解除し、フレームを版胴１とともに機外に移動し、このようにして各インキ色の複数の版胴を用意して、版胴の抜き差しをすることで、色替え印刷を簡単に行えるものである。
【００２９】
用紙16のジャム処理とかの場合には、所定位置で版胴１が停止した後に版胴１が抜き出され、処理が終了した後に元の位置に挿入されて印刷が行われる。
【００３０】
図３に示すこの発明の第２実施形態は、版胴１の側板20の軸受23を、印刷機の一側板27の係合孔29に嵌合させる代わりに、係合孔29の外周に環状の支持フランジ37を設け、これを軸受23に嵌合するようにし、これによって印刷機の側板27に負担をかけることがない点が、第１実施形態と相違する以外に異なることがない。
【００３１】
図４，５に示すこの発明の第３実施形態は、第２実施形態において、版胴１の側板20の軸受凸部21の外側面に抜止部材38が取付けられ、この抜止部材38は図５に示すように、ピン状本体39に溝部41を設けたものからなり、一方印刷機の側板27には、その外面に抜止環状体42が取付けられていて、抜止環状体42は横向きの環状部とその先端に内向きに形成された案内部43とを有している。そしてこの案内部43には、抜止部材38のピン状本体39とほぼ同径のノッチ44が設けられているものである。
【００３２】
このようなものにおいて、版胴１を印刷位置に移動するに際して、抜止部材38のピン状本体39を抜止環状体42のノッチ44と対向する位置としておくと、ピン状本体39がノッチ44を通過して印刷位置に到達する。ここでピン状本体39の溝部41と抜止環状体42の案内部43とが整合し、印刷時に溝部41が案内部43に係合した状態でこれに案内されて版胴１が回動し、機外に移動するに際しては、溝部41と案内部43のノッチ44とが整合した状態として移動させることとなり、このようにしてピン状本体39がノッチ44の位置以外では、版胴１が印刷機本体からみだりに抜出るのを防止することができる点が、第２実施形態と相違する以外に異なることがない。
【００３３】
図６に示すこの発明の第４実施形態は、第２実施形態において、版胴１の一端にリング状のフランジ46が固定され、このフランジ46に版胴１の側板20が軸線方向に移動可能に取付けられている。そしてフレーム板24の下部に支持筒部47が取付けられていて、側板20の軸受凸部21が軸受23を介して支持筒部47に回転可能に支持され、側板20の軸受凸部21の径方向の外側表面に係合凸部34が取付けられている。
【００３４】
一方駆動手段31の回転盤33に係合凸部34が嵌合離脱が可能な放射状の係合溝48が設けられ、また印刷機の一側板27にはフレーム板24の支持筒部47に摺嵌する環状の支持フランジ37と、係合ピン49とが設けられている。そしてフレーム板24には係合ピン49が摺嵌する係合孔50が設けられている。
【００３５】
この実施態様は、各実施形態と同様に各インキ色の複数の版胴を用意して、版胴の抜き差しをすることで、色替え印刷を簡単に行うことができ、また版胴１のフランジ46が軸線方向に移動可能となっていることから、図示しない画像位置調整装置によって、版胴１の軸線方向の位置調整をすることによって、画像位置の調整ができるものであり、さらに印刷位置にある際係合凸部34が放射状の係合溝48に係合することから、放射方向の相対的な位置を正確に一致させるための精密な加工を要することなく、また支持筒部47が支持フランジ37に係合することから、印刷作動時に発生する強い押圧力が、駆動手段31の回転伝達部にまで伝達されるのをより有効に防止して、同回転伝達部に損傷が発生することがない。
【００３６】
【発明の効果】
この発明は、前記のようであって、請求項１に記載の発明は、版胴の両側板は支持フレームの両側板間に設けられて、版胴の軸線方向に延びる支持軸に回転可能に支持され、支持フレームの一方の側板に支持筒部が取付けられ、この支持筒部に版胴の側板に設けた軸受凸部が回転可能に支持され、この軸受凸部の径方向の外側の表面に係合部が取付けられている一方、前記支持フレームの一方の側板と対向する印刷機の側板に前記支持筒部に摺嵌する支持フランジが設けられているとともに、駆動手段の駆動部材が配置され、この駆動部材に前記係合部と係合離脱が可能な被係合部が設けられ、これら係合部と被係合部は、版胴が印刷位置にあるとき互いに係合して版胴を支持し、また版胴が印刷位置にあるとき前記駆動手段の駆動部材が版胴の側板に連結されて、版胴に駆動力が伝達されるようになっており、請求項２に記載の発明は、請求項１に記載の発明において、版胴の一端にリング状のフランジが固定され、このフランジに版胴の側板が軸線方向に移動可能に取付けられているので、回転駆動部分に押圧力が作用しなくなり、又押圧部材から受ける衝撃などによる損傷を受けることがないという効果がある。また、印刷位置にある際係合部と被係合部が係合することから、放射方向の相対的な位置を正確に一致させるための精密な加工を要することがないのに加えて、版胴の一端に固定されたリング状のフランジを、版胴の側板に対して軸線方向に移動させるという簡単な操作で画像位置の調整ができるという効果がある。
【図面の簡単な説明】
【図１】この発明が装着される孔版印刷機の概略構成図である。
【図２】この発明の第１実施形態の要部の縦断正面図である。
【図３】この発明の第２実施形態の要部の縦断正面図である。
【図４】この発明の第３実施形態の要部の縦断正面図である。
【図５】同上の要部の斜面図である。
【図６】この発明の第４実施形態の要部の縦断正面図である。
【図７】この発明と同種の従来の孔版印刷機の版胴支持装置の第１例の要部の縦断正面図である。
【図８】この発明と同種の従来の孔版印刷機の版胴支持装置の第２例の要部の縦断正面図である。
【符号の説明】
１  版胴                        ２  インキローラ
３  ドクタローラ                ４  インキ溜り
５  支持軸                      ６  ステージ
７  クランパ                    ８  マスタ
９  プラテンローラ              10  サーマルヘッド
11  搬送ローラ                  12  カッタ
13  ガイド板                    14  プレスローラ
15  レジストローラ              16  用紙
20  版胴の側板                  21  軸受凸部
22  支持軸                      23  軸受
24  フレーム板                  25  インキローラ支持板
26  ガイドレール                27  印刷機の側板
28  可動レール                  29  係合孔
31  駆動手段                    32  駆動軸
33  回転盤                      34  係合凸部
36  係合凹部                    37  支持フランジ
38  抜止部材                    39  ピン状本体
41  溝部                        42  抜止環状体
43  案内部                      44  ノッチ
46  フランジ                    47  支持筒部
48  係合溝                      49  係合ピン
50  係合孔
【図１】
0003897432.tif 000002
【図２】
0003897432.tif 000003
【図３】
0003897432.tif 000004
【図４】
0003897432.tif 000005
【図５】
0003897432.tif 000006
【図６】
0003897432.tif 000007
【図７】
0003897432.tif 000008
【図８】
0003897432.tif 000009